(57)【要約】【課題】  エレベータ昇降路へのアクセスの安全性を提供する。【解決手段】  エレベータかごの移動を制御する方法は、エレベータかごが指定された乗場に存在するかどうかを判定し、ドアロック状態を判定し、エレベータかごが、指定された乗場に存在するかどうか及びドアロック状態にある程度基づき、アクセス検出モードを開始することを含む。【選択図】図３
2017095281.tif 000002
【特許請求の範囲】
【請求項１】
（ａ）エレベータかごが、指定された乗場に存在するかどうかを判定することと、
（ｂ）ドアロック状態を判定することと、
（ｃ）前記エレベータかごが、前記指定された乗場に存在するかどうか、及び前記ドアロック状態に基づき、アクセス検出モードを開始することと、
を備えた、エレベータかごの移動の制御方法。
【請求項２】
前記ステップ（ａ）が、乗場スイッチからの位置信号を受信するようにエレベータ駆動装置を操作することを備えた、請求項１に記載の方法。
【請求項３】
前記ステップ（ｂ）が、ドアロック機構が所定の継続時間、係合しているかどうかを判定することをさらに備えた、請求項１または２に記載の方法。
【請求項４】
前記所定の継続時間が、４秒以上である、請求項３に記載の方法。
【請求項５】
前記アクセス検出モードは、前記ドアロック機構が前記所定の継続時間、係合され、かつ前記かごが前記指定された乗場から離れていることを示す、乗場スイッチからの位置信号を前記エレベータ駆動装置が受信した場合に、前記エレベータかごの移動を防止するように前記エレベータ駆動装置を操作することを含む、請求項３または４に記載の方法。
【請求項６】
前記アクセス検出モードは無効されない、請求項１〜５のいずれかに記載の方法。
【請求項７】
前記アクセス検出モードが、前記エレベータかごを点検速度で操作することを備えた、請求項１〜６のいずれかに記載の方法。
【請求項８】
乗場を含むエレベータ昇降路と、
前記エレベータ昇降路内に配置され、かつ乗場の近くに設置された乗場スイッチであって、位置信号を送信するように構成された、乗場スイッチと、
前記乗場に位置する昇降路ドアと、
前記昇降路ドアに操作可能に結合されたドアロック機構であって、ドアロック状態信号を送信するように構成された、ドアロック機構と、
前記エレベータ昇降路内に配置されたエレベータかごであって、前記エレベータ昇降路内を移動するように構成された、エレベータかごと、
前記エレベータかご、前記乗場スイッチ、及び前記ドアロック機構と通信するエレベータ駆動装置であって、前記位置信号及び前記ドアロック状態信号に基づき、アクセス検出モードを開始するように構成された、エレベータ駆動装置と、
を備えたエレベータシステム。
【請求項９】
前記位置信号が、前記乗場における前記エレベータかごの存在を示す、請求項８に記載のエレベータシステム。
【請求項１０】
前記ドアロック状態信号が、前記ドアロック機構が所定の継続時間、係合しているかどうかを示す、請求項８または９に記載のエレベータシステム。
【請求項１１】
前記所定の継続時間が、４秒以上である、請求項１０に記載のエレベータシステム。
【請求項１２】
前記昇降路ドアに配置された開口部をさらに備え、前記開口部が、前記ドアロック機構に隣接して配置される、請求項８〜１１に記載のエレベータシステム。
【請求項１３】
前記アクセス検出モードは無効にされない、請求項８〜１２に記載のエレベータシステム。
【請求項１４】
前記アクセス検出モードが、前記エレベータかごを点検速度で操作することを備えた、請求項８〜１３に記載のエレベータシステム。
【発明の詳細な説明】
【技術分野】
【０００１】
本開示は、一般に、エレベータシステムに関し、より詳細には、昇降路へのアクセスのためにエレベータかごの移動を制御することに関する。
【背景技術】
【０００２】
一般に、エレベータ作業者には、エレベータかごの予想外の動きに起因するエレベータシステムの保守及び設置に伴うリスクが存在し続ける。したがって、エレベータ整備士が保守を実行している間は、エレベータかごの移動を防止する必要がある。
【発明の概要】
【発明が解決しようとする課題】
【０００３】
従って本発明は、エレベータ昇降路へのアクセスの安全性を提供する。
【課題を解決するための手段】
【０００４】
一態様では、エレベータかごの移動を制御する方法が提供される。方法は、エレベータかごが指定された乗場に存在するかどうかを判定し、ドアロック状態を判定し、エレベータかごが、指定された乗場に存在するかどうか、およびドアロック状態にある程度基づき、アクセス検出モードを開始することを含む。
【０００５】
方法の実施形態では、エレベータかごが、指定された乗場に存在するかどうかを判定することは、乗場スイッチからの位置信号を受信するエレベータ駆動装置を操作することを含む。
【０００６】
方法のいずれかの実施形態では、ドアのロック状態を判定することは、ドアロック機構が所定の継続時間、係合されているかどうかを判定することを含む。一実施形態では、所定の継続時間は、約４秒以上である。
【０００７】
方法のいずれかの実施形態では、アクセス検出モードを開始することは、ドアロック機構が所定の継続時間、係合されており、かつ、かごが指定された乗場から離れていることを示す乗場スイッチからの位置信号をエレベータ駆動装置が受信した場合に、エレベータかごの移動を防止するようにエレベータ駆動装置を操作することを含む。
【０００８】
いずれかの実施形態では、アクセス検出モードは無効にされない。いずれかの実施形態では、アクセス検出モードは、点検速度でエレベータかごを操作することを含む。
【０００９】
一態様では、エレベータシステムが提供される。エレベータシステムは、１つの乗場を含むエレベータ昇降路と、エレベータ昇降路内に配置され乗場の近くに設置された乗場スイッチであって、位置信号を送信するように構成される乗場スイッチと、各乗場のそれぞれに位置する昇降路ドアと、昇降路ドアに操作可能に結合されたドアロック機構であって、ドアロック状態信号を送信するように構成されるドアロック機構と、エレベータ昇降路内に配置されたエレベータかごであって、エレベータ昇降路内を移動するように構成されるエレベータかごと、エレベータかごと通信するエレベータ駆動装置であって、位置信号及びドアロック状態信号にある程度基づき、アクセス検出モードを開始するように構成されるエレベータ駆動装置と、を含む。
【００１０】
エレベータシステムのいずれかの実施形態では、位置信号は、１つの乗場におけるエレベータかごの存在を示す。
【００１１】
エレベータシステムのいずれかの実施形態では、ドアロック状態信号は、ドアロック機構が所定の継続時間、係合しているかどうかを示すものである。一実施形態では、所定の継続時間は、約４秒以上である。
【００１２】
エレベータシステムのいずれかの実施形態では、昇降路ドアは、その昇降路ドア内に配置された開口部を含み、開口部は、ドアロック機構に隣接して配置される。エレベータシステムのいずれかの実施形態では、アクセス検出モードは無効にされない。エレベータシステムのいずれかの実施形態では、アクセス検出モードは、エレベータかごを点検速度で操作することを含む。
【００１３】
他の実施形態も開示される。
【００１４】
本明細書に含まれる実施形態及びその他の特徴、利点及び開示、及びそれらを達成する方法は、明らかになるであろう。また、本開示は、添付の図面と併せて、本発明の様々な例示的な実施形態の以下の説明を参照することによって理解されるであろう。
【図面の簡単な説明】
【００１５】
【図１】本開示の実施形態によるエレベータシステムの概略図である。
【図２】本開示の実施形態によるエレベータ昇降路の概略図である。
【図３】本開示の実施形態によるエレベータ昇降路への安全なアクセスを実行する方法の概略フロー図である。
【発明を実施するための形態】
【００１６】
本開示の原理の理解を促進する目的のために、図面に示された実施形態を参照し、特定の用語が同じものを説明するために使用されるであろう。しかし、本開示の範囲の限定を意図するものではないことが理解されるであろう。
【００１７】
図１は、全体を符号１０で示すエレベータシステムを示す。エレベータシステム１０は、ケーブルまたはベルト１２、及びエレベータかご１４を含む。ケーブル１２は、エレベータかご１４及び昇降路１８の内部のカウンターウェイト１６に接続されている。かご１４は、一般に昇降路１８の頂部の機械室２２に設置されたエレベータ駆動装置２０によってエレベータかご１４にケーブル１２を介して伝達された力により昇降路１８内を昇降移動する。エレベータシステム１０は、それぞれの乗場２４Ａ〜Ｃに配置された一組の昇降路ドア１５（たとえば、図２に示す乗場２４Ａのドア１５Ａ）を介して乗客がエレベータかご１４の乗り降りをできるようにするために複数の乗場２４Ａ〜Ｃで停止するように構成されている。
【００１８】
図２に示すように、乗場スイッチ（landing switch）２６は、乗場２４Ａに近接する昇降路１８内に配置されている。乗場スイッチ２６は、エレベータかご１４が、指定された乗場（たとえば、乗場２４Ａ）に位置していることを示す、エレベータ駆動装置２０への位置信号を送信するように構成されている。乗場スイッチ２６は、最も低い乗場（たとえば、乗場２４Ａ）または任意の指定された乗場に配置されても良いことが理解されるであろう。乗場スイッチ２６は、エレベータかご１２が、指定された乗場に存在するときに、エレベータ駆動装置２０に一定の電圧信号を提供する電気機械スイッチまたは感知装置であっても良いことが理解されるであろう。
【００１９】
ドアロック機構２８は、昇降路ドア１５上に配置され、昇降路ドア１５（たとえば、開または閉）の位置を示す、エレベータ駆動装置２０への扉状態信号を送信するように構成されている。ドアロック機構２８は、エレベータ整備士が、ドアロック機構２８に隣接する昇降路ドア１５に配置された開口部３０内に、ロック解除装置、たとえば、エレベータドロップキーを挿入することを介して係合されても良い。したがって、エレベータの整備士は、エレベータピットまたはエレベータかご１２の頂部にアクセスするために、昇降路ドア１５をロック解除して開き得る。
【００２０】
図３は、使用中のエレベータかご１２の移動を安全に制御する方法を示す図であり、この方法は、全体を符号１００で示すものである。方法は、エレベータかご１２が、指定された乗場に存在するかどうかを判定するステップ１０２を含む。一実施形態では、エレベータかご１２が指定された乗場に存在するかどうかを判定することは、乗場スイッチ２６からの位置信号を受信するようにエレベータ駆動装置２０を操作することを含む。
【００２１】
たとえば、エレベータかご１２が、乗場２４Ａに存在する場合、乗場スイッチ２６は、エレベータかご１２が存在することを示す信号をエレベータ駆動装置２０に送信し得る。エレベータかご１２が、乗場２４Ａに存在しない場合は、乗場スイッチ２６は、エレベータかご１２が乗場２４Ａから離れていることを示す、位置信号をエレベータ駆動装置２０に送信し得る。いくつかの実施形態では、エレベータかごが乗場２４Ａから離れている場合に、乗場スイッチ２６が、エレベータ駆動装置２０からの一定の電圧信号を除去することによって、エレベータ駆動装置２０に位置信号を送信し得ることが理解されるであろう。
【００２２】
方法は、昇降路ドアの状態を判定するステップ１０４をさらに含む。一実施形態では、昇降路ドアの状態を判定することは、ドアロック機構２８が、所定の継続時間、係合しているかどうかを判定することを含む。一実施形態では、所定の継続時間は、約４秒以上である。その他の所定の継続時間が、その他の実施形態で使用されても良いことが理解されるであろう。
【００２３】
たとえば、エレベータ整備士が、ピットまたはエレベータかご１２の頂部のいずれかにアクセスしようとする度に、エレベータ整備士は、ドアロック機構２８を係合するために開口部３０内にエレベータドロップキーを挿入する。ドアロック機構２８は、昇降路ドア１５がロック解除、及び開かれた可能性があることを示すドアロック信号をエレベータ駆動装置２０に送信する。
【００２４】
方法は、エレベータかご１２が、指定された乗場に存在するかどうかや、昇降路ドアの状態にある程度基づき、アクセス検出モードを開始するステップ１０６をさらに含む。一実施形態では、アクセス検出モードは、ドアロック機構２８が所定の継続時間、係合し、かつエレベータかご１２が指定された乗場２４から離れたことを示す乗場スイッチ２６からの位置信号をエレベータ駆動装置２０が受信した場合に、エレベータ駆動装置２０をシャットダウンするように操作することを含む。
【００２５】
たとえば、エレベータ整備士が、ドアロック機構２８を介して、昇降路ドア１５を開き、エレベータかご１２が乗場２４Ａから離れた場合、エレベータ整備士は、エレベータかご１２の制御を有していないことを示す。エレベータ整備士が、昇降路１８に入ることは安全ではない可能性があり、したがって、エレベータかご１２の移動を防止するためにエレベータ駆動装置２０をシャットダウンする。エレベータかご１２の操作を回復させるために、エレベータ整備士は、エレベータ駆動装置２０でアクセス検出モードをリセットし得る。一実施例では、エレベータかご１２は、アクセス検出モード中に、点検速度で操作し得る。いくつかの実施形態では、アクセス検出モードは無効にされない。エレベータ駆動装置２０は、アクセス検出モードであるときに、聴覚または視覚警報システム（図示せず）を起動し得ることが理解されるであろう。
【００２６】
したがって、本発明の実施形態は、エレベータかご１２が、指定された乗場に存在しない場合、及び昇降路ドアロック機構が所定の継続時間よりも長く係合していた場合に、シャットダウンし、エレベータかご１２の移動を防止するために、アクセス検出モードを開始することができるエレベータ駆動装置２０を含むことが理解されるであろう。
【００２７】
本開示は、図面及び前述の説明で、詳細に例示され説明されてきたが、これは、例示的なものとして見なすべきであって、限定的な性格のものとして見なすべきではない。特定の実施形態だけが示されて説明されていること、及び本開示の趣旨の範囲内に入るすべての変更及び修正が保護されることが望まれることを理解されたい。
【符号の説明】
【００２８】
１０…エレベータシステム
１２…ケーブルまたはベルト
１４…エレベータかご
１５…昇降路ドア
１６…カウンターウェイト
１８…昇降路
２０…エレベータ駆動装置
２２…機械室
２４Ａ，２４Ｂ，２４Ｃ…乗場
２６…乗場スイッチ
２８…ドアロック機構
３０…開口部
【図１】
2017095281.tif 000003
【図２】
2017095281.tif 000004
【図３】
2017095281.tif 000005